【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
次の映像信号がくるまで直前の映像信号を表示し続ける電子式ディスプレイにおいて、前記電子式ディスプレイの画面の少なくとも一部に左眼用映像と右眼用映像とを交互に表示する表示ステップと、
少なくとも、前記表示ステップ実行中に、前記左眼用映像を第１の観察方向へ、前記右眼用映像を第２の観察方向へそれぞれ交互に透過させるためのシャッタステップとを有し、
前記シャッタステップでは、前記第１の観察方向と前記第２の観察方向との両方向に対して前記電子式ディスプレイからの光を一定期間だけ遮光することを特徴とする立体映像表示方法。
【請求項２】
前記シャッタステップにおいて前記第１の観察方向と前記第２の観察方向との両方向に対して前記電子式ディスプレイからの光を遮光する一定期間は、少なくとも前記電子式ディスプレイの画面上で前記左眼用映像と前記右眼用映像とが混在している期間を含むことを特徴とする請求項１に記載の立体映像表示方法。
【請求項３】
前記表示ステップでは、前記左眼用映像と前記右眼用映像とを前記電子式ディスプレイの画面の少なくとも一部の所定の領域のみにおいて交互に表示し、
前記シャッタステップにおいて、前記第１の観察方向と前記第２の観察方向との両方向に対して前記電子式ディスプレイからの光を遮光する一定期間は、前記電子式ディスプレイの前記所定の領域で前記左眼用映像と前記右眼用映像とが混在している期間であることを特徴とする請求項１または２に記載の立体映像表示方法。
【請求項４】
前記シャッタステップにおいて、前記第１の観察方向と前記第２の観察方向との両方向に対して前記電子式ディスプレイからの光を遮光する前記一定期間を任意に調整可能であることを特徴とする請求項１〜３のいずれか一項に記載の立体映像表示方法。
【請求項５】
電子ディスプレイに左眼用映像と右眼用映像とを画面の少なくとも一部に交互に表示させるための映像信号に基づいて前記電子ディスプレイに表示された前記左眼用映像を第１の観察方向へ、前記右眼用映像を第２の観察方向へ、それぞれ交互に透過させるためのシャッタ部を有する立体映像表示システムであって、
前記シャッタ部は、前記第１の観察方向と前記第２の観察方向との両方向に対して前記電子式ディスプレイからの光を、少なくとも前記電子ディスプレイの画面上で前記左眼用映像と前記右眼用映像とが混在している一定期間だけ遮光することを特徴とする立体映像表示システム。
【請求項６】
次の映像信号がくるまで直前の映像信号を表示し続ける電子式ディスプレイに表示された、左眼用映像と右眼用映像とを画面の少なくとも一部に交互に表示する立体映像を観察するための眼鏡であり、
少なくとも、前記左眼用映像を第１の観察方向へ、前記右眼用映像を第２の観察方向へそれぞれ交互に透過させるためのシャッタ部を具備しており、
前記シャッタ部は、前記第１の観察方向と前記第２の観察方向との両方向に対して前記電子式ディスプレイからの光を、少なくとも前記電子ディスプレイの画面上で前記左眼用映像と前記右眼用映像とが混在している一定期間だけ遮光することを特徴とする立体映像観察用眼鏡。
【請求項７】
前記シャッタ部が前記第１の観察方向と前記第２の観察方向との両方向に対して遮光する前記一定期間を任意の値に調整するためのシャッタ制御部をさらに有することを特徴とする請求項６に記載の立体映像観察用眼鏡。
【請求項８】
前記シャッタ部は、液晶シャッタ眼鏡であることを特徴とする請求項６または請求項７に記載の立体映像観察用眼鏡。
【請求項９】
次の映像信号がくるまで直前の映像信号を表示し続ける電子式ディスプレイに表示された、左眼用映像と右眼用映像とを画面の少なくとも一部に交互に表示する立体映像を観察するための眼鏡と、
前記電子式ディスプレイに表示された、右眼用フレームと左眼用フレームを識別するための判別マークを検出するセンサと、を備え、
前記眼鏡は、少なくとも、前記左眼用映像を第１の観察方向へ、前記右眼用映像を第２の観察方向へそれぞれ交互に透過させるためのシャッタ部を有し、
前記シャッタ部は、前記センサからの信号に基づいて開閉するとともに、前記第１の観察方向と前記第２の観察方向との両方向に対して前記電子式ディスプレイからの光を、少なくとも前記電子ディスプレイの画面上で前記左眼用映像と前記右眼用映像とが混在している一定期間だけ遮光することを特徴とする立体映像表示システム。
【手続補正２】
【補正対象書類名】明細書
【補正対象項目名】０００１
【補正方法】変更
【補正の内容】
【０００１】
本発明は、市販の液晶ディスプレイ（ＬＣＤ）、プラズマディスプレイ（ＰＤＰ）、電界放出ディスプレイ（ＦＥＤ）等のディスプレイを用いて、簡便に立体映像の表示を可能とする立体映像表示方法、立体映像表示システム、及び立体映像観察用眼鏡に関する。
【手続補正３】
【補正対象書類名】明細書
【補正対象項目名】００１１
【補正方法】変更
【補正の内容】
【００１１】
本発明は、上記に鑑みてなされたものであって、一般に流通しているディスプレイ、即ち立体映像表示用に設計された特殊なディスプレイではないものと、電子シャッタ付き眼鏡とを組み合わせて、簡便かつ安価な立体映像表示方法、立体映像システム、及び立体映像観察用眼鏡を提供することを目的とする。
【手続補正４】
【補正対象書類名】明細書
【補正対象項目名】００１２
【補正方法】変更
【補正の内容】
【００１２】
上述した課題を解決し、目的を達成するために、第１の本発明によれば、次の映像信号がくるまで直前の映像信号を表示し続ける電子式ディスプレイにおいて、電子式ディスプレイの画面の少なくとも一部に左眼用映像と右眼用映像とを交互に表示する表示ステップと、少なくとも、前記表示ステップ実行中に、左眼用映像を第１の観察方向へ、右眼用映像を第２の観察方向へそれぞれ交互に透過させるためのシャッタステップとを有し、シャッタステップでは、第１の観察方向と第２の観察方向との両方向に対して電子式ディスプレイからの光を一定期間だけ遮光することを特徴とする立体映像表示方法を提供できる。
【手続補正５】
【補正対象書類名】明細書
【補正対象項目名】００１３
【補正方法】変更
【補正の内容】
【００１３】
また、本発明の好ましい態様によれば、シャッタステップにおいて第１の観察方向と第２の観察方向との両方向に対して電子式ディスプレイからの光を遮光する一定期間は、少なくとも電子式ディスプレイの画面上で左眼用映像と右眼用映像とが混在している期間を含むことが望ましい。
【手続補正６】
【補正対象書類名】明細書
【補正対象項目名】００１４
【補正方法】変更
【補正の内容】
【００１４】
また、本発明の好ましい態様によれば、表示ステップでは、左眼用映像と右眼用映像とを電子式ディスプレイの画面の少なくとも一部の所定の領域のみにおいて交互に表示し、シャッタステップにおいて、第１の観察方向と第２の観察方向との両方向に対して電子式ディスプレイからの光を遮光する一定期間は、電子式ディスプレイの所定の領域で左眼用映像と右眼用映像とが混在している期間であることが望ましい。
【手続補正７】
【補正対象書類名】明細書
【補正対象項目名】００１６
【補正方法】変更
【補正の内容】
【００１６】
また、第２の本発明によれば、電子ディスプレイに左眼用映像と右眼用映像とを画面の少なくとも一部に交互に表示させるための映像信号に基づいて電子ディスプレイに表示された左眼用映像を第１の観察方向へ、右眼用映像を第２の観察方向へ、それぞれ交互に透過させるためのシャッタ部を有する立体映像表示システムであって、シャッタ部は、第１の観察方向と第２の観察方向との両方向に対して電子式ディスプレイからの光を、少なくとも電子ディスプレイの画面上で左眼用映像と右眼用映像とが混在している一定期間だけ遮光することを特徴とする立体映像表示システムを提供できる。
【手続補正８】
【補正対象書類名】明細書
【補正対象項目名】００１７
【補正方法】変更
【補正の内容】
【００１７】
また、第３の本発明によれば、次の映像信号がくるまで直前の映像信号を表示し続ける電子式ディスプレイに表示された、左眼用映像と右眼用映像とを画面の少なくとも一部に交互に表示する立体映像を観察するための眼鏡であり、少なくとも、左眼用映像を第１の観察方向へ、右眼用映像を第２の観察方向へそれぞれ交互に透過させるためのシャッタ部を具備しており、シャッタ部は、第１の観察方向と第２の観察方向との両方向に対して電子式ディスプレイからの光を、少なくとも電子ディスプレイの画面上で左眼用映像と右眼用映像とが混在している一定期間だけ遮光することを特徴とする立体映像観察用眼鏡を提供できる。
【手続補正９】
【補正対象書類名】明細書
【補正対象項目名】００１８
【補正方法】変更
【補正の内容】
【００１８】
また、本発明の好ましい態様によれば、シャッタ部が第１の観察方向と第２の観察方向との両方向に対して遮光する一定期間を任意の値に調整するためのシャッタ制御部をさらに有することが望ましい。
【手続補正１０】
【補正対象書類名】明細書
【補正対象項目名】００１９
【補正方法】変更
【補正の内容】
【００１９】
また、本発明の好ましい態様によれば、シャッタ部は、液晶シャッタ眼鏡であることが望ましい。
【手続補正１１】
【補正対象書類名】明細書
【補正対象項目名】００２０
【補正方法】変更
【補正の内容】
【００２０】
また、第４の本発明によれば、次の映像信号がくるまで直前の映像信号を表示し続ける電子式ディスプレイに表示された、左眼用映像と右眼用映像とを画面の少なくとも一部に交互に表示する立体映像を観察するための眼鏡と、電子式ディスプレイに表示された、右眼用フレームと左眼用フレームを識別するための判別マークを検出するセンサと、を備え、眼鏡は、少なくとも、左眼用映像を第１の観察方向へ、右眼用映像を第２の観察方向へそれぞれ交互に透過させるためのシャッタ部を有し、シャッタ部は、センサからの信号に基づいて開閉するとともに、第１の観察方向と第２の観察方向との両方向に対して電子式ディスプレイからの光を、少なくとも電子ディスプレイの画面上で左眼用映像と右眼用映像とが混在している一定期間だけ遮光することを特徴とする立体映像表示システムを提供できる。